(57)【要約】【課題】２：３：３：２プルダウン変換方式で変換された６０ｉの映像信号を、２４ｐの映像信号に逆プルダウン変換できるようにする。【解決手段】２４ｐ（２４フレーム／秒のプログレッシブ形式）の映像信号が、２：３：３：２プルダウン変換されて記録された６０ｉ（６０フィールド／秒のインターレース形式）の映像信号である第１のインターレース映像信号を、映像再生手段４で再生し、タイムコードに基づいて、映像メモリ８への書き込み読み出しを制御して、２：３：２：３プルダウン変換した６０ｉの映像信号である第２のインターレース映像信号に変換し、この第２のインターレース映像信号を、従来の方式変換器１０によって、２４ｐの映像信号に変換している。【選択図】        図１
2004200994.tif 000002
【特許請求の範囲】
【請求項１】
２４フレーム／秒のプログレッシブ映像信号がプルダウン変換された６０フィールド／秒の第１のインターレース映像信号を、前記２４フレーム／秒のプログレッシブ映像信号に逆プルダウン変換する映像変換装置であって、
前記第１のインターレース映像信号を、前記２４フレーム／秒のプログレッシブ映像信号が２：３：２：３プルダウン変換された６０フィールド／秒の第２のインターレース映像信号に変換する第１の変換手段と、
前記第２のインターレース映像信号を、２４フレーム／秒のプログレッシブ映像信号に変換する第２の変換手段と、
を備えることを特徴とする映像変換装置。
【請求項２】
前記第１のインターレース映像信号は、前記２４フレーム／秒のプログレッシブ映像信号を２：３：３：２プルダウン変換したものである請求項１記載の映像変換装置。
【請求項３】
前記第１の変換手段は、前記第１のインターレース映像信号が書き込まれるとともに、前記第２のインターレース映像信号が読み出されるメモリと、前記メモリの書き込み／読み出しを制御するメモリ制御手段とを備える請求項１または２記載の映像変換装置。
【請求項４】
前記メモリ制御手段は、タイムコードに基づいて、書き込み／読み出しを制御する請求項３記載の映像変換装置。
【請求項５】
前記第２の変換手段が、前記第２のインターレース映像信号を、２４フレーム／秒のプログレッシブ映像信号に変換する方式変換器である請求項１〜４のいずれかに記載の映像変換装置。
【発明の詳細な説明】
【０００１】
【発明の属する技術分野】
本発明は、２４フレーム／秒のプログレッシブ映像信号を、６０フィールド／秒のインターレース映像信号に変換する映像変換装置に関し、更に詳しくは、２４フレーム／秒の速度で映像を撮影して、６０フィールド／秒のインターレース映像信号に変換して記録された映像信号を再生して元の２４フレーム／秒の映像信号に逆変換するのに好適な映像変換装置に関する。
【０００２】
【従来の技術】
従来から、２４ｐ（２４フレーム／秒のプログレッシブ形式）の映像信号を６０ｉ（６０フィールド／秒のインターレース形式）の映像信号に変換して記録する場合、２：３：２：３プルダウンという変換方式が一般的に使われている。なお、６０ｉの映像信号は、厳密には、５９．９４フィールド／秒の映像信号てある。
【０００３】
図５に基づいて、従来の２：３：２：３プルダウン変換方式を説明する。同図（ａ）は、撮影された２４ｐの映像信号を示し、同図（ｂ）は、２：３：２：３プルダウン変換方式で変換されて磁気テープなどに記録された６０ｉの映像信号を示しており、同図（ｂ）には、後述のようにフレーム単位で圧縮（ＤＶ圧縮）される各フレームに、撮影時間の異なるフレームの映像が入っているか否かに応じて×○を示している。
【０００４】
２４ｐの映像信号では、連続するフレームが、Ａ，Ｂ，Ｃ，Ｄ，Ｅ，Ｆで表されており、例えば、この２４ｐの映像信号の４フレームＡ,Ｂ,Ｃ,Ｄが、６０ｉの映像信号に変換される際において、６０ｉの映像信号の連続するフィールドｆ１，ｆ２，ｆ１，ｆ２…ｆ１，ｆ２に時間軸を合わせながら変換されていく。
【０００５】
具体的には、フレームＡを、インターレース信号の２フィールドＡｆ１，Ａｆ２に対応させ、次のフレームＢを、インターレース信号の３フィールドＢｆ１，Ｂｆ２，Ｂｆ１に対応させ、さらに、次のフレームＣを、インターレース信号の２フィールドＣｆ２，Ｃｆ１に対応させ、次のフレームＤを、インターレース信号の３フィールドＤｆ２，Ｄｆ１，Ｄｆ２に対応させ、これを繰り返す。すなわち、２４ｐの映像信号の４フレーム（４／２４秒）を、６０ｉの映像信号の１０フィールド（１０／６０秒）、すなわち、５フレームに対応させて処理するものである。
【０００６】
このような２：３：２：３プルダウン変換方式で変換されて記録された映像信号の画像レートを変換する技術も提案されている（例えば、特許文献１参照）。
【０００７】
また、２：３：２：３プルダウン変換方式で変換して磁気テープなどの記録媒体に記録した６０ｉの映像信号から再度２４ｐの映像信号に逆プルダウン変換する場合には、図６に示されるように、記録情報再生手段２によって、記録媒体に記録された情報を再生し、映像再生手段４によって６０ｉの映像信号を再生するとともに、タイムコード再生手段３によってタイムコードを再生し、このタイムコードに基づいて、方式変換器制御手段１１で、方式変換器１０を制御することにより、図７（ａ）の６０ｉの映像信号を、同図（ｂ）の２４ｐの映像信号に方式変換器１０で変換している。
【０００８】
例えば、６０ｉの２フィールドの映像信号Ａｆ１，Ａｆ２から２４ｐのフレームＡを復元し、次の３フィールドの映像信号Ｂｆ１，Ｂｆ２，Ｂｆ１からフレームＢを復元し、さらに、次の２フィールドの映像信号Ｃｆ２，Ｃｆ１からフレームＣを復元し、次の３フィールドの映像信号Ｄｆ２，Ｄｆ１，Ｄｆ２からフレームＤを復元するといったように、規則的に２：３：２：３の映像信号を、２４ｐの映像信号に復元するものである。
【０００９】
【特許文献１】
特開平７−２９８２１２号公報（図１）
【００１０】
【発明が解決しようとする課題】
近年は、映像をフレーム単位で圧縮して記録する技術が普及している。例えば、上述の図５（ｂ）の６０ｉの映像信号の第１のフレームの信号を圧縮する場合、圧縮率向上のため、フィールドＡｆ１，Ａｆ２を一旦フレームＡに合成した上で圧縮を行っている。
【００１１】
このようなフレーム単位の圧縮では、図５（ｂ）の６０ｉの第３のフレームでは、×で示されるように、異なる撮影時間のフィールドＢｆ１，Ｃｆ２で圧縮され、同様に、第４のフレームでは、異なる撮影時間のフィールドＣｆ２，Ｄｆ２で圧縮されることになり、フレームＣについては、異なるフレームに分離されて圧縮されており、そのまま取り出して再生すると画質が劣化することになる。
【００１２】
そこで、本件出願人は、平成１４年３月２０日提出の特願２００２−７８３８３号において、４フィールドの映像を、１０フィールドに記録する際に、２：３：２：３と記録せずに、例えば、図５（ｃ）に示されるように、２：３：３：２という形式で変換して記録することにより、例えば、フレームＡ，Ｂ，Ｃ，Ｄを、フレーム圧縮（ＤＶ圧縮）単位が○で示される第１，第２，第４，第５のフレームからそのまま取り出すことができる２：３：３：２プルダウン変換方式（「アドバンスモード」）を提案している。
【００１３】
かかる２：３：３：２プルダウン変換方式で変換されて記録された６０ｉの映像信号から再度２４ｐの映像信号に逆プルダウン変換する場合に、上述の図６と同様に行なったのでは、図８に示されるように、復元された２４ｐの映像信号の第３のフレームは、フレームＣとフレームＤのフィールドＣｆ２，Ｄｆ１，Ｄｆ２の混じった映像信号になってしまうことになり、正しい映像を再生することができない。
【００１４】
本発明は、上述のような点に鑑みて為されたものであって、２：３：２：３プルダウン変換方式以外のプルダウン変換方式で変換された６０ｉの映像信号を、２４ｐの映像信号に逆プルダウン変換できる映像変換装置を提供することを目的とする。
【００１５】
【課題を解決するための手段】
本発明では、上記目的を達成するために、次のように構成している。
【００１６】
すなわち、本発明の映像変換装置は、２４フレーム／秒のプログレッシブ映像信号がプルダウン変換された６０フィールド／秒の第１のインターレース映像信号を、前記２４フレーム／秒のプログレッシブ映像信号に逆プルダウン変換する映像変換装置であって、前記第１のインターレース映像信号を、前記２４フレーム／秒のプログレッシブ映像信号が２：３：２：３プルダウン変換された６０フィールド／秒の第２のインターレース映像信号に変換する第１の変換手段と、前記第２のインターレース映像信号を、２４フレーム／秒のプログレッシブ映像信号に変換する第２の変換手段とを備えている。
【００１７】
本発明によると、２：３：２：３プルダウン変換方式以外のプルダウン変換方式で変換された６０フィールド／秒の第１のインターレース映像信号を、２４フレーム／秒のプログレッシブ映像信号が２：３：２：３プルダウン変換された６０フィールド／秒の第２のインターレース映像信号に一旦変換し、この第２のインターレース映像信号を、従来と同様にして２４フレーム／秒のプログレッシブ映像信号に変換するので、２：３：２：３プルダウン変換方式以外のプルダウン変換方式で変換された６０フィールド／秒の第１のインターレース映像信号を、２４フレーム／秒のプログレッシブ映像信号に逆プルダウン変換できることになる。
【００１８】
本発明の好ましい実施態様においては、前記第１のインターレース映像信号は、前記２４フレーム／秒のプログレッシブ映像信号を２：３：３：２プルダウン変換したものである。
【００１９】
本発明によると、２４フレーム／秒のプログレッシブ映像信号を２：３：３：２プルダウン変換した６０フィールド／秒の第１のインターレース映像信号を、２４フレーム／秒のプログレッシブ映像信号に逆プルダウン変換できることになる。
【００２０】
本発明の一実施態様においては、前記第１の変換手段は、前記第１のインターレース映像信号が書き込まれるとともに、前記第２のインターレース映像信号が読み出されるメモリと、前記メモリの書き込み／読み出しを制御するメモリ制御手段とを備えている。
【００２１】
本発明によると、メモリへの書き込み／読み出しを制御することによって、２：３：２：３プルダウン変換方式以外のプルダウン変換方式で変換された６０フィールド／秒の第１のインターレース映像信号を、２：３：２：３プルダウン変換された６０フィールドム／秒の第２のインターレース映像信号に変換することができる。
【００２２】
本発明の好ましい実施態様においては、前記メモリ制御手段は、タイムコードに基づいて、書き込み／読み出しを制御するものである。
【００２３】
本発明によると、タイムコードから２：３：３：２プルダウンなどのプルダウンの位相を検出して書き込み読み出しを制御できることになる。
【００２４】
本発明の他の実施態様においては、前記第２の変換手段が、前記第２のインターレース映像信号を、２４フレーム／秒のプログレッシブ映像信号に変換する方式変換器である。
【００２５】
本発明によると、第２の変換手段としては、２：３：２：３プルダウン変換された６０フィールド／秒の第２のインターレース映像信号を、２４フレーム／秒のプログレッシブ映像信号に変換する従来の方式変換器を用いることができる。
【００２６】
【発明の実施の形態】
以下、図面によって本発明の実施の形態について詳細に説明する。
【００２７】
（実施の形態１）
図１は、本発明の実施の形態に係る映像変換装置を備える映像再生装置のブロック図であり、上述の図６に対応する部分には、同一の参照符号を付す。
【００２８】
この実施の形態の映像再生装置１は、２４ｐの映像信号が、上述の２：３：３：２プルダウン変換方式（アドバンスモード）で変換記録されている磁気テープなどの記録媒体（図示せず）から６０ｉの映像信号を再生して２４ｐの映像信号に逆プルダウン変換して出力するものであり、上述の図６に対応する部分には、同一の参照符号を付す。
【００２９】
この映像再生装置１は、記録媒体に記録されている情報を再生する記録情報再生手段２と、再生された情報からタイムコードを再生するタイムコード再生手段３と、再生された情報から２：３：３：２プルダウン変換方式の６０ｉの映像信号を再生する映像再生手段４と、本発明の映像変換装置５とを備えている。
【００３０】
映像変換装置５は、２：３：３：２プルダウン変換方式の６０ｉの映像信号を、元の２４ｐの映像信号に逆プルダウン変換するものであり、この映像変換装置５は、２：３：３：２プルダウン変換方式の６０ｉの映像信号である第１のインターレース映像信号を、２４ｐの映像信号を２：３：２：３プルダウン変換方式で変換した６０ｉの映像信号である第２のインターレース映像信号に変換する第１の変換手段６と、２：３：２：３プルダウン変換方式の６０ｉの映像信号である第２のインターレース映像信号を、２４ｐの映像信号に変換する第２の変換手段７とを備えている。
【００３１】
第１の変換手段６は、２：３：３：２プルダウン変換方式の６０ｉの映像信号が書き込まれるとともに、２：３：２：３プルダウン変換方式の６０ｉの映像信号として読み出される映像メモリ８と、タイムコード再生手段３からのタイムコードに基づいて、タイミング信号を生成して映像メモリ８への書き込み／読み出しを制御するメモリ制御手段９とを備えており、第２の変換手段７は、２：３：２：３プルダウン変換方式の６０ｉの映像信号を、２４ｐの映像信号に変換する上述の図６と同様の方式変換器１０と、この方式変換器１０を制御する方式変換器制御手段１１とを備えている。
【００３２】
この実施の形態では、映像メモリ８への書き込み／読み出しを制御することによって、２：３：３：２プルダウン変換方式の６０ｉの映像信号（第１のインターレース映像信号）を、２：３：２：３プルダウン変換方式の６０ｉの映像信号（第２のインターレース映像信号）に変換し、この２：３：２：３プルダウン変換方式の６０ｉの映像信号を、上述の図６と同様にして２４ｐの映像信号に変換するものである。
【００３３】
図２は、２：３：３：２プルダウン変換方式の６０ｉの映像信号の２４ｐの映像信号への逆プルダウン変換を説明するための図である。
【００３４】
同図（ａ）は２：３：３：２プルダウン変換方式の６０ｉの映像信号（第１のインターレース映像信号）、同図（ｂ）は２：３：２：３プルダウン変換方式の６０ｉの映像信号（第２のインターレース映像信号）、同図（ｃ）は復元された２４ｐの映像信号をそれぞれ示している。
【００３５】
２：３：３：２プルダウン変換方式の６０ｉの映像信号と２：３：２：３プルダウン変換方式の６０ｉの映像信号とのフィールドの関係は、予め分かっているので、メモリ制御手段９では、映像メモリ８に対する書き込み／読み出しを制御して２：３：３：２プルダウン方式の６０ｉの映像信号を、２：３：２：３プルダウン方式の６０ｉの映像信号に変換する。
【００３６】
この実施の形態では、２：３：３：２プルダウン変換方式の６０ｉの映像信号の第１〜第７のフィールドＡｆ１，Ａｆ２，Ｂｆ１，Ｂｆ２，Ｂｆ１，Ｃｆ２，Ｃｆ１を、２：３：２：３プルダウン変換方式の６０ｉの映像信号の第１〜第７のフィールドＡｆ１，Ａｆ２，Ｂｆ１，Ｂｆ２，Ｂｆ１，Ｃｆ２，Ｃｆ１とし、第８のフィールドＣｆ２は間引き、第９のフィールドＤｆ１は、第９のフィールドＤｆ１とし、第１０のフィールドＤｆ２を、第８および第１０のフィールドＤｆ２とし、以降、同様の書き込み読み出しが行なわれる。
【００３７】
これによって、２：３：３：２プルダウン変換方式の６０ｉの映像信号が、２：３：２：３プルダウン変換方式の６０ｉの映像信号に変換されることになる。
【００３８】
この２：３：２：３プルダウン変換方式の６０ｉの映像信号は、方式変換器１０によって、上述の図６と同様にして元の２４ｐの映像信号に復元されて出力されることになる。
【００３９】
これによって、ノンリニア編集機などを用いることなく、リアルタイムに、記録媒体に記録されている２：３：３：２プルダウン変換方式の６０ｉの映像信号から２４ｐの映像信号を再生して出力できることになる。
【００４０】
なお、記録媒体に、２：３：３：２プルダウン変換方式の６０ｉの映像信号が記録されているか、あるいは、２：３：２：３プルダウン変換方式の６０ｉの映像信号が記録されているか否かを識別するためのフラグなどを併せて記録しておき、２：３：３：２プルダウン変換方式の６０ｉの映像信号である場合には、上述のようにして２４ｐの映像信号を再生して出力し、２：３：２：３プルダウン変換方式の６０ｉの映像信号である場合には、映像メモリ８を介することなく、上述の図６と同様の処理によって、２４ｐの映像信号を再生して出力すればよい。
【００４１】
（実施の形態２）
上述の実施の形態１において、フレーム圧縮について見ると、図３（ａ）に示されるように、２：３：３：２プルダウン変換方式の６０ｉの映像信号の第３のフレームには、フレーム圧縮（ＤＶ圧縮）単位の×で示されるように、異なる撮影時間のフィールドＢｆ１，Ｃｆ２が合成されて圧縮されており、第１の変換手段６で変換した２：３：２：３プルダウン変換方式の６０ｉの映像信号にも同図（ｂ）で示されるように、前記フィールドＢｆ１，Ｃｆ２が含まれており、同図（ｃ）に示されるように、これらのフィールドＢｆ１，Ｃｆ２を用いて２４ｐの映像信号を復元すると画質が劣化することになる。なお、同図（ｂ）には、２：３：２：３プルダウン変換方式の６０ｉの映像信号の各フィールドが、同図（ａ）のフレーム圧縮（ＤＶ圧縮）単位で○であったか×であったかを併せて示している。
【００４２】
そこで、この実施の形態では、上述の図２に対応する図４に示されるように、２：３：３：２プルダウン方式の６０ｉの映像信号の内、異なる撮影時間のフィールドＢｆ１，Ｃｆ２が入っているフレームは用いないようにしている。
【００４３】
具体的には、同図（ａ）の２：３：３：２プルダウン変換方式の６０ｉの映像信号の第１〜第４のフィールドＡｆ１，Ａｆ２，Ｂｆ１，Ｂｆ２を、同図（ｂ）の２：３：２：３プルダウン変換方式の６０ｉの映像信号の第１〜第４のフィールドＡｆ１，Ａｆ２，Ｂｆ１，Ｂｆ２にするとともに、第３のフィールドＢｆ１は、第５のフィールドＢｆ１とし、第５，第６のフィールドＢｆ１，Ｃｆ２を間引き、第７のフィールドＣｆ１を、第７のフィールドＣｆ１とし、第８のフィールドＣｆ２を、第６のフィールドＣｆ２とし、第９のフィールドＤｆ１を、第９のフィールドＤｆ１とし、第１０のフィールドＤｆ２を、第８および第１０のフィールドＤｆ２とし、以降、同様の書き込み読み出しが行なわれる。
【００４４】
これによって、異なる撮影時間のフィールドＢｆ１，Ｃｆ２が合成されて圧縮された前記フィールドＢｆ１，Ｃｆ２を用いることなく、同図（ｃ）に示されるように２４ｐの映像信号を復元することができる。
【００４５】
その他の構成は、上述の実施の形態１と同様である。
【００４６】
（その他の実施の形態）
上述の実施の形態では、２：３：３：２プルダウン変換した第１のインターレース映像信号を、２４フレーム／秒のプログレッシブ映像信号に逆プルダウン変換する場合について説明したけれども、本発明は、２：３：３：２プルダウン変換に限らず、他のプルダウン変換方式による第１のインターレース映像信号に適用してもよい。
【００４７】
【発明の効果】
以上のように本発明によれば、２４フレーム／秒のプログレッシブ映像信号がプルダウン変換された６０フィールド／秒の第１のインターレース映像信号を、２４フレーム／秒のプログレッシブ映像信号に逆プルダウン変換する際に、前記第１のインターレース映像信号を、２４フレーム／秒のプログレッシブ映像信号が２：３：２：３プルダウン変換された６０フィールド／秒の第２のインターレース映像信号に一旦変換し、この第２のインターレース映像信号を、従来と同様にして２４フレーム／秒のプログレッシブ映像信号に変換するので、第１のインターレース映像信号を、２４フレーム／秒のプログレッシブ映像信号に逆プルダウン変換できることになる。
【図面の簡単な説明】
【図１】本発明の実施の形態の映像変換装置を備える映像再生装置のブロック図である。
【図２】図１の実施の形態の変換処理を説明するための図である。
【図３】図１の実施の形態の変換処理の課題を説明するための図である。
【図４】本発明の他の実施の形態の変換処理を説明するための図である。
【図５】２：３：２：３プルダウン変換および２：３：３：２プルダウン変換を説明するための図である。
【図６】従来の逆プルダウンのブロック図である。
【図７】図６の変換処理を説明するための図である。
【図８】変換処理の課題を説明するための図である。
【符号の説明】
１            映像再生装置
２            記録情報再生手段
３            タイムコード再生手段
４            映像再生手段
５            映像変換装置
６            第１の変換手段
７            第２の変換手段
８            映像メモリ
９            メモリ制御手段
【図１】
2004200994.tif 000003
【図２】
2004200994.tif 000004
【図３】
2004200994.tif 000005
【図４】
2004200994.tif 000006
【図５】
2004200994.tif 000007
【図６】
2004200994.tif 000008
【図７】
2004200994.tif 000009
【図８】
2004200994.tif 000010